(57)【要約】【課題】よりリアルタイムな監視を可能とする遊技機監視システム、及び該監視システムによって監視される相対可動部を有する遊技機を提供する。【解決手段】ステーション５８では、制御装置２０から監視情報を受信すると、該監視情報をモニターに表示する。たとえば、店員ＩＤを受信した場合には、店員情報と照らし合わせる等して店員名を表示し、タグＩＤを受信した場合（監視用ＲＦＩＤの通信が不成立となった場合等）には、どのパチンコ機１のどこが開放されているのか等を表示する。また、ステーション５８を、ホール内に設置されている各監視カメラ７４と、その動作を制御すべく接続する。そして、制御装置２０から何らかの監視情報を受信すると、監視情報の送信先の制御装置２０と対応したパチンコ機１へと監視カメラ７４を向け、パチンコ機１周辺の状況を表示手段５９に映し出すとともに、その撮像データを記憶手段６１へと記憶する。【選択図】図６
2006116218.tif 000002
【特許請求の範囲】
【請求項１】
遊技機における相対可動部に取り付けられたＩＣタグと、
前記ＩＣタグとの間で無線通信を行うアンテナを備え、前記ＩＣタグとアンテナとの間で無線通信を断続的に行い、該無線通信の不成立を検知して前記相対可動部の開閉状態に係る情報である開閉情報を作成する制御装置と、
前記相対可動部の開閉動作を行う権限を認証するための認証手段と、
表示手段及び記憶手段を備えたホールコンピュータと、
を備えており、
前記認証手段において前記権限が認証された日時に係る認証情報と、前記権限が認証された状態において前記相対可動部における無線通信が不成立となった日時に係る開作業情報と、前記相対可動部における無線通信が再び成立となった日時に係る閉作業情報とを前記制御装置にて作成する遊技機監視システムであって、
前記制御装置とホールコンピュータとは、前記各情報を通信可能に接続されており、
前記制御装置は前記各情報を作成し次第、順次前記ホールコンピュータへと送信するとともに、前記ホールコンピュータは、前記制御装置から前記各情報を受信する毎に、前記表示手段に前記各情報毎に設定した表示態様で前記各情報を順次表示することを特徴とする遊技機監視システム。
【請求項２】
認証手段は、
認証部材であるＩＣタグと、
制御装置に接続されたアンテナと、
を備えており、
前記アンテナとＩＣタグとによる無線通信を利用して権限の認証を行うことを特徴とする請求項１に記載の遊技機監視システム。
【請求項３】
制御装置は識別情報を有しており、各情報に前記識別情報を付与してホールコンピュータへと送信する一方、
前記ホールコンピュータは、前記制御装置の識別情報と、該識別情報に対応させた前記制御装置の位置情報とを記憶手段に記憶しているとともに、表示手段に表示される撮像データを撮像するための撮像手段を備えており、受信した前記各情報に含まれる前記制御装置の識別情報と対応する前記位置情報にしたがって前記撮像手段の撮像範囲を決定する駆動制御を行うことを特徴とする請求項１または２に記載の遊技機監視システム。
【請求項４】
ホールコンピュータは、所定の開始契機をもって、撮像手段によって撮像された撮像データの記憶手段への記憶を開始するとともに、所定の停止契機をもって前記撮像データの記憶手段への記憶を停止することを特徴とする請求項３に記載の遊技機監視システム。
【請求項５】
認証情報の受信を開始契機とする及び／又は閉作業情報の受信を停止契機とすることを特徴とする請求項４に記載の遊技機監視システム。
【請求項６】
ホールコンピュータは、撮像データを記憶手段へと常時上書き記憶しており、所定の禁止契機をもって、所定の撮像データを記憶した記憶領域を一時的に上書き禁止とすることを特徴とする請求項３に記載の遊技機監視システム。
【請求項７】
認証情報の受信を所定の禁止契機とするとともに、該認証情報の受信から所定時間が経過するまで及び／又は認証情報の受信から閉作業情報の受信までの撮像データを記憶した記憶領域を一時的に上書き禁止とすることを特徴とする請求項６に記載の遊技機監視システム。
【請求項８】
請求項１〜７のいずれかに記載の遊技機監視システムによって監視される相対可動部を有する遊技機。
【発明の詳細な説明】
【技術分野】
【０００１】
本発明は、パチンコ機、スロットマシーン等の遊技機における相対可動部の開閉状況を監視するための遊技機監視システム、及び該監視システムによって監視される相対可動部を有する遊技機に関するものである。
【背景技術】
【０００２】
従来より、ホールに設置されているパチンコ機に対し、特定の遊技者が不正に利益を得ようとして、遊技中に前面枠を開放したり、遊技内容を制御するＬＳＩやＲＯＭ等を交換するといった不正行為が後を絶たない。そこで、そのような不正行為を防止するために、たとえば特許文献１に開示されているような監視システムが考案されている。
【０００３】
【特許文献１】特開２００４−１９９１２４号公報
【０００４】
特許文献１に開示されている監視システムは、たとえば前面枠といった相対可動部に、固有の識別情報を記憶するＩＣタグと、該ＩＣタグとの間で非接触のＲＦＩＤ（Radio Frequency identification）通信（無線通信）可能なアンテナとを夫々固着し、該アンテナが接続されている制御装置にて、ＩＣタグとアンテナとの間で行われるＲＦＩＤ通信の可否を判断することによって、各監視箇所の開閉状況を監視しようとするものである。そして、各監視箇所においてＲＦＩＤ通信状態の変化を検知すると、制御装置は検知した日時等からなる監視情報を記憶する。
一方、特許文献１の監視システムは、鍵と錠とにもＩＣタグとアンテナとを夫々備えており、正規の鍵を使用すると認証状態となって、認証状態中における相対可動部の開閉状況は監視情報として記憶するものの、相対可動部が開放された旨等を外部にて報知しないようになっている。
【発明の開示】
【発明が解決しようとする課題】
【０００５】
上述の如く特許文献１の監視システムは、認証状態中においては相対可動部の開放等を報知ランプ等にて報知しないため、一旦認証状態になると、相対可動部が開放されている事態等を作業にかかわっていないホール店員は把握できなかった。したがって、たとえば第三者や特定のホール店員等が正規の鍵を不正に利用して前面枠を開放し不正行為を行った場合等には、制御装置に記憶された監視履歴を後で参照してはじめて異常事態を知ることになる。つまり、事後報告となってしまうため、このような不正行為をより効果的に防止するためには、相対可動部をよりリアルタイムで監視する必要がある。
【０００６】
そこで、本発明は、上記課題に鑑みなされたものであって、よりリアルタイムな監視を可能とし、遊技機に対する不正行為をより効果的に防止するための遊技機監視システム、及び該監視システムによって監視される相対可動部を有する遊技機を提供しようとするものである。
【課題を解決するための手段】
【０００７】
上記目的を達成するために、請求項１に記載の発明は、遊技機における相対可動部に取り付けられたＩＣタグと、前記ＩＣタグとの間で無線通信を行うアンテナを備え、前記ＩＣタグとアンテナとの間で無線通信を断続的に行い、該無線通信の不成立を検知して前記相対可動部の開閉状態に係る情報である開閉情報を作成する制御装置と、前記相対可動部の開閉動作を行う権限を認証するための認証手段と、表示手段及び記憶手段を備えたホールコンピュータと、を備えており、前記認証手段において前記権限が認証された日時に係る認証情報と、前記権限が認証された状態において前記相対可動部における無線通信が不成立となった日時に係る開作業情報と、前記相対可動部における無線通信が再び成立となった日時に係る閉作業情報とを前記制御装置にて作成する遊技機監視システムであって、前記制御装置とホールコンピュータとは、前記各情報を通信可能に接続されており、前記制御装置は前記各情報を作成し次第、順次前記ホールコンピュータへと送信するとともに、前記ホールコンピュータは、前記制御装置から前記各情報を受信する毎に、前記表示手段に前記各情報毎に設定した表示態様で前記各情報を順次表示することを特徴とする。
請求項２に記載の発明は、請求項１の発明において、認証手段は、認証部材であるＩＣタグと、制御装置に接続されたアンテナと、を備えており、前記アンテナとＩＣタグとによる無線通信を利用して権限の認証を行うことを特徴とする。
請求項３に記載の発明は、請求項１または２の発明において、制御装置は識別情報を有しており、各情報に前記識別情報を付与してホールコンピュータへと送信する一方、前記ホールコンピュータは、前記制御装置の識別情報と、該識別情報に対応させた前記制御装置の位置情報とを記憶手段に記憶しているとともに、表示手段に表示される撮像データを撮像するための撮像手段を備えており、受信した前記各情報に含まれる前記制御装置の識別情報と対応する前記位置情報にしたがって前記撮像手段の撮像範囲を決定する駆動制御を行うことを特徴とする。
請求項４に記載の発明は、請求項３の発明において、ホールコンピュータは、所定の開始契機をもって、撮像手段によって撮像された撮像データの記憶手段への記憶を開始するとともに、所定の停止契機をもって前記撮像データの記憶手段への記憶を停止することを特徴とする。
請求項５に記載の発明は、請求項４の発明において、認証情報の受信を開始契機とする及び／又は閉作業情報の受信を停止契機とすることを特徴とする。
請求項６に記載の発明は、請求項３の発明において、ホールコンピュータは、撮像データを記憶手段へと常時上書き記憶しており、所定の禁止契機をもって、所定の撮像データを記憶した記憶領域を一時的に上書き禁止とすることを特徴とする。
請求項７に記載の発明は、請求項６の発明において、認証情報の受信を所定の禁止契機とするとともに、該認証情報の受信から所定時間が経過するまで及び／又は認証情報の受信から閉作業情報の受信までの撮像データを記憶した記憶領域を一時的に上書き禁止とすることを特徴とする。
請求項８に記載の発明は、請求項１〜７のいずれかに記載の遊技機監視システムによって監視される相対可動部を有する遊技機である。
【発明の効果】
【０００８】
本発明によれば、制御装置は認証情報等の各情報を作成すると、順次ホールコンピュータへと送信する。ホールコンピュータでは、受信した各情報を各情報毎に設定された表示態様にて順次表示手段に表示する。したがって、リアルタイムで認証情報や認証状態における相対可動部の開閉状況を表示手段にて視認することができるため、極めて信頼性の高い監視を行うことができる。
請求項２の発明によれば、制御装置に接続されたアンテナと認証部材であるＩＣタグとによる無線通信を利用して認証動作を行う。つまり、相対可動部の監視動作及び認証手段における認証動作を一の制御装置にて制御する構成となっているため、遊技機監視システムの構成の簡素化を図ることができる上、合理的な制御を行う遊技機監視システムとすることができる。
請求項３の発明によれば、ホールコンピュータの制御により動作する撮像手段を利用して、ホールコンピュータが制御装置から異常情報等の各情報を受信すると、各情報に含まれる識別情報に対応した位置情報にしたがって撮像手段の撮像範囲を決定し、受信した各情報に係る遊技機周辺の状況を撮像データとして表示手段に映し出すため、不正行為の防止に極めて効果的な監視を行うことができる。
請求項４の発明によれば、所定の開始契機から所定の停止契機までの間の撮像データを記憶手段に記憶するため、撮像データを見逃す事態を防止することができ、より効果的な監視を行うことができる。
請求項５の発明によれば、認証情報の受信を開始契機とする及び／又は閉作業情報の受信を停止契機とするため、権限の認証された状態における遊技機周辺の状況が記憶手段に記憶されることになる。したがって、たとえば正規な認証部材を悪用した不正行為やホール店員による不正行為等をも監視可能としており、極めて効果的な遊技機の監視を行うことができる。
請求項６の発明によれば、撮像データを記憶手段に常時上書き記憶する構成ではあるものの、所定の禁止契機をもって、所定の撮像データを記憶した記憶領域を一時的に上書き禁止とするため、必要な撮像データを上書き消去してしまうおそれがなく、実用的で信頼性の高い監視を可能とした遊技機監視システムとすることができる。
請求項７の発明によれば、権限が認証された状態における遊技機周辺の状況に係る撮像データが上書き禁止となる。したがって、たとえば遊技機の相対可動部の開閉状況等を撮像した撮像データが確認される前に上書き消去されてしまうといったおそれもなく、極めて信頼性の高い監視を行うことができる。
一方、本発明に係る遊技機監視システムによって監視される相対可動部を有する遊技機とすることで、不正行為を働きにくい遊技機を提供することができる。
【発明を実施するための最良の形態】
【０００９】
以下、本発明に係る遊技機監視システム及び遊技機の一実施形態について、図面に基づき、次の目次の順序にしたがって、詳細に説明する。
（１）実施例の遊技機監視システム及び遊技機の概要
（２）実施例の遊技機監視システム及び遊技機の構造
（３）実施例の遊技機監視システム及び遊技機の動作内容
（４）実施例の遊技機監視システム及び遊技機の効果
（５）本発明の変更例の説明
【００１０】
（１）実施例の遊技機監視システム及び遊技機の概要
本実施例に係る遊技機監視システムは、ＲＦＩＤ技術を利用して主に各ホールで島設備に設置されるパチンコ機を監視しようとするものであって、各アンテナや制御装置等により構成されるリーダライタ、固有の識別情報を記憶しておりアンテナとの間でＲＦＩＤ通信（無線通信）可能なＩＣタグである監視タグや認証部材である店員カード、制御装置に記憶される監視情報の参照等を行う外部携帯端末、外部携帯端末との間でＲＦＩＤ通信するための中継タグ、店員カードとの間でＲＦＩＤ通信を行うカードアンテナや中継タグ等を内蔵した通信ユニット、及びホールに設置される監視カメラ（撮像手段）等を備えている。尚、監視カメラは、遊技店のメインコンピュータとなるステーション（ホールコンピュータ）によって、撮像範囲を決定する等の駆動制御がなされる。
【００１１】
そして、本実施例では、１台の制御装置にて１台のパチンコ機の相対可動部における監視動作やパチンコ機を取り扱う（たとえば、前面枠を開放する等）権限を認証する認証動作等を制御している。具体的には、前面枠（相対可動部）及び本体枠（相対可動部）における開閉状況の監視動作と、店員カードを利用した認証動作とを制御している。尚、本発明において、相対可動部とは、少なくとも一方の移動によって相対距離が変化する第一の部材と第二の部材とからなる一組の部材である。また、店員カード等の認証動作に係る構成を認証手段とする。
【００１２】
制御装置は、アンテナとＩＣタグとの間のＲＦＩＤ通信を制御するＣＰＵ（制御手段）、監視情報等を記憶するＥＥＰＲＯＭ（記憶手段）、一時的な記憶を行うＲＡＭ、監視プログラム等を記憶したＲＯＭ、アンテナと接続されるＲＦ回路、日時を計時するＲＴＣ、充電可能なバッテリ、中継タグ等と接続されるＩ／Ｏインタフェイス（入出力部）、及び報知ランプを備えたスポット（報知手段）等との間で無線通信を行うための無線モジュール等を有している。
通信ユニットは、カードアンテナや中継タグ等を内蔵したものであって、各パチンコ機の前面側上方（島設備）に夫々設置される。尚、カードアンテナや遊技アンテナは制御装置のＲＦ回路に、中継タグは制御装置のＩ／Ｏインタフェイスに夫々接続されている。
【００１３】
上述したような構成を有する遊技機監視システムは、開閉状況を監視したい相対可動部において、一方の部材に監視タグ、他方の部材に監視アンテナを夫々固着し、相対可動部が閉じた状態においてのみ両者間でＲＦＩＤ通信を可能とすることで、開閉状況を監視する（監視動作）。尚、相対可動部が閉じた状態において、監視タグと監視アンテナとの間でＲＦＩＤ通信は常時繰り返し行われており、該状態を正常状態とする。
【００１４】
また、各監視タグと監視アンテナとの間の通信可能距離は５ｍｍ程度に設定されており、相対可動部がほんの僅かでも開放されると両者間の通信は不成立となる。両者間の通信が不成立になると、制御装置は異常状態であると判断し、判断した日時に関連付けられた異常情報をステーションへ送信するとともにＥＥＰＲＯＭに記憶する。また、ステーションは、異常情報を受信すると、異常状態が発生した旨を表示手段に表示するとともに、監視カメラを異常状態が検知されたパチンコ機の方へ向けて（撮像範囲を決定）、該パチンコ機周辺の状況（撮像データ）を表示手段に表示したり、記憶手段に記憶したりする。
【００１５】
一方、店員カードを通信ユニットに内蔵されているカードアンテナ（認証アンテナ）に近接させて、両者間でＲＦＩＤ通信させることにより認証動作を行う。制御装置は、該ＲＦＩＤ通信により使用可能な店員カードを確認（権限を認証）すると、認証状態であると判断して所定の制御を行うとともに、使用された店員カードの店員ＩＤやパチンコ機を取り扱った日時等の各監視情報を検出・作成し次第、順次ステーションへと送信するとともにＥＥＰＲＯＭに記憶する。また、ステーションは、制御装置から各監視情報を受信すると、各監視情報毎に設定された表示態様にて各監視情報を表示手段に画面表示するとともに、監視カメラを認証状態が検知されたパチンコ機の方へ向けて、該パチンコ機周辺の状況を表示手段に表示したり、記憶手段に記憶したりする。
尚、本発明において、相対可動部の開閉状況に係る情報を開閉情報（異常情報を含む）とし、認証動作に係る認証情報や開作業情報、閉作業情報等を監視情報とする。
【００１６】
（２）実施例の遊技機監視システム及び遊技機の構造
図１は、パチンコ機１、１・・を設置した島設備７１の説明図である。
図１に示されているように、各島設備７１には、複数のパチンコ機１、１・・が隣接して設置されている。また、各島設備７１の側端には、主にホール店員への報知を行う報知ランプ７２を備えたスポット７３が取り付けられている。さらに、各パチンコ機１の上方には、後述するようなカードアンテナ４７（図２に示す）や中継タグ６６（図２に示す）等を収納した通信ユニット４１が設置されている。一方、島設備７１の内部には、各パチンコ機１と夫々対応する制御装置２０、２０・・が設置されており、各パチンコ機１の監視動作及び認証動作の制御を行っている。尚、スポット７３は制御装置２０及びステーション５８（図６に示す）と無線ＬＡＮによってネットワーク接続されており、後述するように両者の中継点としての役割も果たす。
また、ホール内には複数の監視カメラ７４、７４・・が、後述するステーション５８の制御のもとパン（水平方向の首振り）及びチルト（垂直方向の首振り）自在に設置されている。そして、カメラが向けられたパチンコ機１周辺の状況を、ステーション５８の表示手段５９に表示する。
【００１７】
ここで、通信ユニット４１及び店員カード４２について図２を基に説明する。図２は、通信ユニット４１及び店員カード４２の外観を示した説明図である。
通信ユニット４１は、カードアンテナ４７及び中継タグ６６を内蔵したものであって、前面上部には２個の確認ランプ４３ａ、４３ｂが備えられている。一方、店員カード４２は認証用のＩＣタグとして機能するものである。そして、該店員カード４２をカードアンテナ４７の前方に近接させると両者間でＲＦＩＤ通信が可能となり、後述する認証動作を行う。尚、確認ランプ４３ａは認証状態になると点灯するものであり、確認ランプ４３ｂは中継タグ６６の通信状態を点灯表示するものである。
【００１８】
店員カード４２は、送受信回路（アンテナ回路）やＥＥＰＲＯＭ内蔵のＩＣチップ等が設けられたフィルムプリントを合成樹脂で薄くコーティングしたものである。当該ＩＣチップには固有の識別情報が予め記憶されており、該識別情報を店員ＩＤとしている。また、店員カード４２の構造及び機能は、一般に用いられる１３．５６ＭＨｚ帯のＩＣタグと同様であり、アンテナからの呼出波を受信すると店員ＩＤの返信を行う。尚、店員ＩＤは、ステーション５８で各店員の個人情報となる店員情報として管理されている。
一方、カードアンテナ４７は、薄板状のガラスコンポジット基板の表面に送受信回路を設けたものであり、ケーブル３４を介して制御装置２０へと接続されている。そして、制御装置２０の制御により、送受信回路から呼出波を常時出力している。
【００１９】
また、中継タグ６６は、上記店員カード４２となるＩＣタグとは異なる構成を有しており、送受信回路やＥＥＰＲＯＭ等の他にＣＰＵやＩ／Ｏインタフェイス等を内蔵したものである。該中継タグ６６は、ケーブル３４を介して制御装置２０と接続されており、ＰＤＡ等の一般に利用されている携帯型情報端末（外部携帯端末）からの指令を受けると、制御装置２０に記憶される異常情報や監視情報を読み出してＰＤＡへと送信したり、制御装置２０に記憶されている異常情報や監視情報をクリアしたりすることができる。
【００２０】
次に、島設備７１に設置されるパチンコ機１について、図３及び図４を基に説明する。図３は、本体枠３及び前面枠４を片開きにした状態を示したパチンコ機１の説明斜視図であり、図４は、パチンコ機１の後面を示した説明図である。
【００２１】
パチンコ機１は、その周囲を機枠２によって支持されたものであって、機枠２の前面側には、本体枠３が左端縁（前面側から見て）を軸として着脱自在に蝶着されている。本体枠３には、遊技領域を有する遊技盤６が嵌め込み設置されており、その遊技盤６の遊技領域内には、障害釘をはじめとして図柄表示装置１４、図柄始動口１５、可動部材１６を有する大入賞装置１７等の遊技部材が設けられている。
【００２２】
また、ガラス板を保持する前面枠４が、遊技盤６の前面を覆うように左端縁（前面側から見て）を軸として着脱自在に蝶着されている。さらに、前面枠４の下方には、発射装置７に遊技球を供給するための供給皿８、及び供給皿８から溢れた遊技球を貯留するための貯留皿９が取り付けられている。加えて、貯留皿９の右側（前面側から見て）には、発射装置７を動作させるための発射ハンドル１１が取り付けられている。
【００２３】
さらに、前面枠４の後面開放側上端縁には、前面枠タグ（監視タグ）３８が固着されている。一方、本体枠３の前面開放側上端縁であって、前面枠４を本体枠３に対して閉じた際に前面枠タグ３８と対峙する位置には、前面枠アンテナ（監視アンテナ）３９が固着されている。したがって、前面枠４を閉じた状態とした場合にのみ、両者の間の距離が所定の通信距離内となり、両者間でＲＦＩＤ通信が成立する。そして、制御装置２０にて該ＲＦＩＤ通信の正否を判断することで、前面枠４の開閉状況を監視する。
【００２４】
さらにまた、機枠２の右側面内側（前面側から見て）には、機枠タグ（監視タグ）８０が固着されている。一方、本体枠３の開放側側面であって、本体枠３を機枠２に対して閉じた際に機枠タグ８０と対峙する位置には、機枠アンテナ（監視アンテナ）８１が固着されている。したがって、本体枠３を閉じた状態とした場合にのみ、両者の間の距離が所定の通信距離内となり、両者間でＲＦＩＤ通信が成立する。そして、制御装置２０にて該ＲＦＩＤ通信の正否を判断することで、本体枠３の開閉状況を監視する。
尚、上述した各監視タグは全て一般に利用されているＩＣタグであり、個々に独自の識別情報（タグＩＤ）が予め記憶されている。また、各監視アンテナは、上述したカードアンテナ４７と略同様の構成を有しており、制御装置２０の制御により送受信回路から呼出波を常時出力している。
【００２５】
一方、パチンコ機１の後面（本体枠３の後面）には、遊技球払出装置等を備えた機構板が本体枠３に一体的に取り付けられており、主制御基板を収納した分割式の収納ケースである主制御基板収納ケース１９等の電子基板部材が載置された状態となっている。また、センターカバー２１が着脱自在に取り付けられており、遊技盤６の後面を保護している。
尚、主制御基板とは、パチンコ機１の遊技内容に関する種々の動作を制御（遊技に係る制御）を行うものである。ここで、パチンコ機１の遊技内容に関する種々の動作とは、遊技球の払い出しに関する動作や、遊技者にとって有利な「大当たり状態」を生起させるか否かの「抽選」に関する動作等の各種動作（すなわち、遊技者の利益に直接的に関わる動作）のことである。
【００２６】
一方、各ＲＦＩＤ通信を制御する制御装置２０について、図５及び図６を基に説明する。図５は、制御装置２０の外観を示した説明図であり、図６は、制御装置２０の制御機構を示したブロック図である。尚、本実施例では、制御装置２０とパチンコ機１とは一対一対応となっている。
【００２７】
制御装置２０は、各種制御部材を搭載した監視制御基板１８、スポット７３と無線接続するための無線モジュール６４、充電可能なバッテリ６５等を内蔵した分割式の収納ケースである。監視制御基板１８には、制御手段であるＣＰＵ５１、ＲＡＭ５２、ＲＯＭ５３、監視情報等を記憶するためのＥＥＰＲＯＭ５４、日時を計時するためのＲＴＣ５５、各監視アンテナと接続されるＲＦ回路５６、中継タグ６６等と接続されるＩ／Ｏインタフェイス５７等が載置されている。尚、収納ケースは容易に開放できないよう強固に固着されている。
【００２８】
制御装置２０の下部には、各監視アンテナや認証アンテナから延びるケーブル３４を接続するためのアンテナ用コネクタ９１、９１・・が８箇所備えられており、８回線まで形成可能となっている。また、制御装置２０の右側部には、中継タグ６６から延びるケーブル３４と接続するための中継タグ用コネクタ９２、９２・・が８箇所備えられている。
【００２９】
次に、制御装置２０の制御機構について説明する。各種制御動作を主に制御するＣＰＵ５１には、ＲＡＭ５２、ＲＯＭ５３、ＥＥＰＲＯＭ５４、ＲＴＣ５５、ＲＦ回路５６、及びＩ／Ｏインタフェイス５７が接続されている。ＲＡＭ５２には、毎朝ステーション５８より送信されてくる店員ＩＤ等が記憶される。また、ＲＯＭ５３には、監視動作や認証動作等に係る制御プログラム等が記憶されている。
ＥＥＰＲＯＭ５４には、各監視タグのタグＩＤが回線毎に対応付けられた状態で予め登録されているとともに、制御装置２０の識別情報となる台番号が登録されている。また、監視動作や認証動作において適宜作成される異常情報や監視情報は、検出・作成され次第、台番号が付与された上で順次ステーション５８へと送信されるとともにＥＥＰＲＯＭ５４に記憶される（尚、後述の如く、作成される監視情報うち、必要な情報のみが作業情報として記憶される）。
【００３０】
一方、ステーション５８は、遊技店の管理室等に備えられる管理コンピュータであり、モニター等の表示手段５９、キーボード等の入力手段６０、メモリ等の記憶手段６１、スポット７３を介して制御装置２０との間で異常情報や監視情報等の通信を行うための無線モジュール等の通信手段６２等を備えている。ステーション５８では、各店員が所持する店員カード４２に記憶されている店員ＩＤを店員情報（店員ＩＤとカード所持者名等とを対応付けたもの）として登録管理する。また、各制御装置２０から送信されてくる異常情報や監視情報の記憶管理も行う。そして、遊技店では、ステーション５８を利用して、その日に使用権限を与えるべき（たとえば、出勤予定のある店員が所持する）店員カード４２の店員ＩＤのみを制御装置２０へと送信する。
【００３１】
また、ステーション５８は、ホール内に設置されている各監視カメラ７４と、その動作を制御すべく接続されている。そして、各監視カメラ７４の動作を制御すべく、記憶手段６１には、制御装置２０の台番号と監視カメラ７４の動作態様とが対応付けられて登録されている（図７に図示）。ここで、制御装置２０から台番号が付与された何らかの異常情報や監視情報を受信すると、台番号に基づいて監視カメラ７４を動作させ、異常情報や監視情報の送信先の制御装置２０と対応したパチンコ機１へと監視カメラ７４を向ける。そして、監視カメラ７４を録画モードへと切り替えてパチンコ機１周辺の状況を表示手段５９に映し出しすとともに、記憶手段６１に記憶する。尚、監視カメラ７４は通常表示モード（表示手段５９に表示するのみ）となっている。
加えて、ステーション５８は、制御装置２０から異常情報や監視情報を受信すると、該監視情報や異常情報を表示手段５９に表示する。たとえば、店員ＩＤを受信した場合には、店員情報と照らし合わせる等して店員名が表示され、タグＩＤを受信した場合（監視用ＲＦＩＤの通信が不成立となった場合等）には、どのパチンコ機１のどこが開放されているのか等が表示される。また、作業中であるとか異常状態の発生等を報知する表示も行う（各情報毎に設定された表示態様にて表示する）。
【００３２】
（３）実施例の遊技機監視システムの動作内容
パチンコ機１は、主制御基板に記憶されているプログラムにしたがって、主たる遊技動作を実行する。そして、遊技者が、遊技球を遊技領域に発射して所定の条件を満たした場合には、いわゆる「大当たり状態」を生起させて、遊技球を遊技者へと払い出す。
【００３３】
一方、遊技機監視システムは、パチンコ機１の前面枠４及び本体枠３における監視動作、及び店員カード４２を利用した認証動作を制御する。ここで、一例として前面枠４に係る監視動作及び認証動作を図８及び図９を基に説明する。図８及び図９は、監視動作及び認証動作を示したフローチャート図である。尚、以下に示す監視動作及び認証動作は、約数十ｍｓの短い周期で繰り返し行われるものであり、ＲＦＩＤ通信が不成立となった状態を略確実に検知することができる。
まず、制御装置２０は、認証フラグがＯＮであるか否かを判断する（Ｓ１）。当初は当然ＯＦＦであるため、次に、制御装置２０は店員ＩＤを受信したか否かを判断する（Ｓ２）。尚、店員ＩＤは、店員カード４２をカードアンテナ４７に近接させて両者間でＲＦＩＤ通信を行うことにより受信可能となっている。
【００３４】
店員ＩＤの受信を検知しない場合、制御装置２０は、監視状態に異常がないかを判断する（Ｓ３）。具体的には、前面枠アンテナ３９から呼出波を送信するとともに、該呼出波に対して所定時間（たとえば、５０ｍｓ）内に前面枠タグ３８からの反射波を受信したか否か、及び受信した前面枠タグ３８のタグＩＤと制御装置２０のＥＥＰＲＯＭ５４に予め登録されているタグＩＤとが一致するか否かを判断する。尚、前面枠タグ３８は、前面枠アンテナ３９からの呼出波を受信すると、直ちにタグＩＤを反射波にのせて所定の通信距離範囲内へと出力するものである。
そして、Ｓ３における判断の結果、異常なし（正常状態である）と判断した場合には、Ｓ１へと戻って、認証フラグの確認等を行った後に、再び前面枠アンテナ３９から呼出波を送信する。通常、このような監視動作が約数十ｍｓの周期で繰り返し行われている。
【００３５】
また、Ｓ３における判断の結果、異常ありと判断した場合（監視用ＲＦＩＤ通信の不成立を検知した場合）には、異常状態である（たとえば、不正者等の第三者によって前面枠４が開放されている等）とし、該判断に係る日時やタグＩＤ（どの監視タグと監視アンテナとが不成立になったか）等に関連付けられた異常情報に台番号を付与してステーション５８へと送信するとともにＥＥＰＲＯＭ５４に記憶する（Ｓ８）。そして、ステーション５８は、異常情報を受信すると、台番号に基づいて監視カメラ７４を異常状態が検知されたパチンコ機１へと向けて録画モードとし、パチンコ機１やその周辺の状況を表示手段５９に映し出すとともに、その撮像データを記憶手段６１に記憶する等して監視可能とする（Ｓ９）。また、異常情報（どのパチンコ機１のどこが開放されているのか等）等を表示手段５９に表示する。さらに、制御装置２０は、報知ランプ７２にて異常状態の報知を行うようスポット７３へと報知要求信号を出力し、異常状態の報知を行う（Ｓ１０）。
尚、異常状態が検知された場合（後述する異常状態も含めて）には、ホール店員により所定の処置が施されるまで、異常状態の報知及び監視カメラ７４による監視は行われる。したがって、所定の処置が施されると、監視カメラ７４は通常の表示モードへと切り替えられる。
【００３６】
一方、店員ＩＤの受信を検知する（Ｓ２）と、制御装置２０は、認証情報（監視情報）である店員ＩＤ及び店員ＩＤの受信日時に台番号を付与してステーション５８へと送信するとともにＲＡＭ５２に仮記憶する（Ｓ４）。ステーション５８は、認証情報を受信すると、台番号に基づいて監視カメラ７４を店員ＩＤの受信が検知された通信ユニット４１と対応するパチンコ機１へと向けて録画モードとし、パチンコ機１やその周辺の状況を表示手段５９に映し出すとともに、その撮像データを記憶手段６１に記憶する等して監視可能とする（Ｓ５）とともに、店員名や受信日時等を画面表示する。
次に、制御装置２０は受信した店員ＩＤが正しいか否かを判断する（Ｓ６）。尚、店員ＩＤが正しいか否かの判断は、受信した店員ＩＤと制御装置２０のＲＡＭ５２に予め記憶されている店員ＩＤとが一致するか否かにより行われる。
【００３７】
Ｓ６における判断の結果、受信した店員ＩＤが不正なものであった場合には、異常状態であるとし、受信した店員ＩＤ及び受信日時等に関連付けられた異常情報に台番号を付与してステーション５８へと送信するとともにＥＥＰＲＯＭ５４に記憶する（Ｓ８）。そして、ステーション５８において、台番号を基に異常状態が検知されたパチンコ機１やその周辺の状況を引き続き監視する（Ｓ９）とともに、異常状態が起こった旨等を表示手段５９に表示する。加えて、制御装置２０は、報知ランプ７２にて異常状態の報知を行うようスポット７３へと報知要求信号を出力し、異常状態の報知を行う（Ｓ１０）。
【００３８】
また、Ｓ６における判断の結果、受信した店員ＩＤが正しいものであった場合には、認証フラグをＯＮ（Ｓ７）として認証状態へと移行した後、Ｓ１１へと進む。したがって、これ以降は、認証フラグＯＦＦとなるまでＳ１における判断がＹＥＳとなり、無条件にＳ１１へと進む。
上記の如く、認証状態とは、上記の如く正しい店員ＩＤを取得して、パチンコ機１の使用権限を有すると判断した場合に生起する状態である。尚、該認証状態にあっては、後述するように監視タグと監視アンテナとの間のＲＦＩＤ通信が成立しない状態（たとえば、前面枠４が開放されている状態等）となっても異常であるとは判断しない。
【００３９】
また、通常、認証状態は生起後５ｓ経過（所定時間の経過）を契機として終了し、通常状態（認証フラグＯＦＦの状態）へと復帰する。しかしながら、生起後５ｓ以内に監視動作に係るＲＦＩＤ通信がどこか一つでも不成立となり（たとえば、５ｓ以内に前面枠４が開放され）、５ｓ経過後も不成立のままであった場合等には、５ｓ経過後も通常状態へは復帰せずに認証状態が継続する。そして、認証状態が５ｓ経過後も継続した場合には、全ての監視動作に係るＲＦＩＤ通信が成立した時点（上述の場合には、前面枠４が閉じられた時点）をもって通常状態へと復帰する。尚、たとえ一度認証状態へと移行した場合であっても、通常状態へ復帰してから監視動作に係るＲＦＩＤ通信を不成立とした場合（たとえば、認証状態生起後５ｓ以上経過してから、前面枠４を開放した場合等）には、当然異常状態であると判断される。
【００４０】
次に、制御装置２０は、認証フラグをＯＮする（Ｓ７）と（又は認証フラグがＯＮである（Ｓ１）と）、認証状態生起後５ｓ以内に監視用ＲＦＩＤ通信（監視アンテナと監視タグとの間におけるＲＦＩＤ通信）が不成立となったか否かを判断する（Ｓ１１）。認証状態生起後５ｓ以内に監視用ＲＦＩＤ通信がどこも不成立とならなかった場合（たとえば、前面枠４が開放されなかった場合）、制御装置２０は、ＲＡＭ５２に仮記憶している認証情報を作業情報としてＥＥＰＲＯＭ５４に記憶する（Ｓ１２）。そして、ステーション５８へとその旨送信し、監視カメラ７４による集中監視を終了（監視カメラ７４を表示モードへと切り替える）する（Ｓ１７）とともに、認証フラグをＯＦＦとし（Ｓ１８）て、通常状態へと移行する。
【００４１】
また、Ｓ１１における判断の結果、認証状態生起後５ｓ以内に監視用ＲＦＩＤ通信の不成立を検知した場合、制御装置２０は、開作業情報（監視情報）である不成立となった日時及び不成立となったタグＩＤに台番号を付与した上でステーション５８へと送信するとともにＲＡＭ５２に仮記憶する（Ｓ１３）。尚、ステーション５８では、不成立となった日時や不成立となった箇所（開放箇所）等を表示手段５９に表示するとともに、台番号を基に監視カメラ７４にて引き続き監視を行う。
【００４２】
その後、監視用ＲＦＩＤ通信が復帰する（Ｓ１４の判断の結果がＹＥＳ）と、閉作業情報（監視情報）である復帰日時に台番号を付与してステーション５８へと送信し（Ｓ１５）、店員ＩＤ、開作業情報、及び閉作業情報を作業情報としてＥＥＰＲＯＭ５４に記憶する（Ｓ１６）。
そして、ステーション５８では、復帰日時を受信すると監視カメラ７４による集中監視を終了（監視カメラ７４を表示モードへと切り替える）する（Ｓ１７）とともに、認証フラグをＯＦＦとし（Ｓ１８）て、通常状態へと移行する。
以上のような態様で、遊技機監視システムは監視動作及び認証動作を行っている。
【００４３】
（４）実施例の遊技機監視システム及び遊技機の効果
本実施例に係る遊技機監視システムは、上記の如く、監視アンテナと監視タグとの間で行うＲＦＩＤ通信を利用して、各パチンコ機１の前面枠４及び本体枠３の開閉状況の監視を行っている。したがって、たとえば遊技者がわずかにでも前面枠４を開放すると、前面枠アンテナ３９と前面枠タグ３８との間のＲＦＩＤ通信が不成立となるため、制御装置２０は異常状態であることを直ちに検知することができる。また、異常状態を検知すると、監視カメラ７４を利用した監視を行うため、リアルタイムで不正防止に効果的な監視を行うことができる。また、少なくともＲＦＩＤ通信が不成立となった日時や不成立となったＲＦＩＤ通信に係るタグＩＤとを含む異常情報を記憶するため、より詳細な監視情報を得ることができる。そして、このような監視を行うことで、不正行為に対して強い（不正行為を働きにくい）パチンコ機１を提供することができる。
【００４４】
また、店員ＩＤを受信する（店員カード４２を利用する）毎にステーション５８へと送信して店員名等を表示手段５９に表示するとともに監視カメラ７４による監視を行うため、誰が店員カード４２を利用しているのかを容易に把握することができ、極めて信頼性の高い監視を行うことができる。
さらに、監視用ＲＦＩＤ通信が不成立となった日時やその監視タグのタグＩＤ、監視用ＲＦＩＤ通信が復帰した日時等を検出する毎に順次ステーション５８へと送信し、ステーション５８では受信した各情報を各情報毎に設定された表示態様にて適宜表示手段５９に表示するため、よりリアルタイムな監視を可能とする。
【００４５】
さらにまた、特に作業情報に関して、店員ＩＤ等の各監視情報を一度ＲＡＭ５２に記憶した後、作業の有無や内容等によって必要な情報のみを作業情報としてＥＥＰＲＯＭ５４に記憶するため、後でＰＤＡ等を利用して参照する際に分かりやすい上、記憶容量の節約にもなる。
加えて、必要な店員ＩＤのみをＲＡＭ５２に記憶しているため、たとえば出勤予定のない店員の店員カード４２や、既に利用されていない店員カード４２等が不正に利用されることがなく、より信頼性の高い監視を行うことができる。
【００４６】
また、前面枠４等における監視動作と店員カード４２を利用して認証動作とを一の制御装置２０にて制御するという合理的な構成となっているため、遊技機監視システムの構成の簡素化を図ることができる。
さらに、ステーション５８では、異常情報や店員ＩＤ等の監視情報を受信すると監視カメラ７４を録画モードに切り替えて、記憶手段６１にその撮像データを記憶するため、異常事態時等におけるパチンコ機１の周辺の状況を見逃してしまうおそれがない。したがって、表示手段５９に表示される撮像データを常時注視する必要もなく、遊技機監視システムの実用性をより優れたものとすることができる。
【００４７】
（５）本発明の変更例の説明
本発明の遊技機監視システム及び遊技機は、上述した実施例の態様に何ら限定されるものではなく、各ＩＣタグ、アンテナ、中継タグ、制御装置、ステーション、監視カメラ、ＰＤＡ、通信ユニット、及びスポット等の材料、形状、構造、取付位置、設置数等の構成を本発明の趣旨に逸脱しない範囲内で適宜変更することができる。たとえば、本発明の監視対象となる遊技機とは、パチンコ機に限定されることはなく、スロットマシーンやテレビゲーム等であってもよい。
【００４８】
また、実施例で記載した以外の監視場所（相対可動部）として、主制御基板収納ケース等の各種分割式収納ケース、大入賞装置における可動部材、及び制御装置自体等が考えられる。各種分割式収納ケースや制御装置自体の監視を行う場合には、分割式収納ケースの一方に監視タグを固着する一方、該監視タグを覆うとともに分割式収納ケースの両ケースに跨るように監視アンテナを固着すればよい。また、大入賞装置における可動部材の監視を行う場合には、可動部材に監視タグを、大入賞装置に監視アンテナを夫々固着するとともに、主制御基板より大当たり信号（大当たり状態の際に出力される信号）を受信するようにすればよい。そうすれば、大当たり信号を受信していないにもかかわらず、可動部材及び大入賞装置におけるＲＦＩＤ通信が不成立となった場合に異常状態（不正開放）として検知することができる。
【００４９】
さらに、上記実施例では、制御装置と遊技機とを一対一対応としているが、１台の制御装置にて複数台の遊技機の監視動作を制御することも当然可能であり、各遊技機に固着された監視アンテナから延びるケーブルを制御装置に接続すればよい。尚、上記実施例において制御装置のアンテナ用コネクタは８個となっているが、それ以上（或いはそれ以下）としても何ら問題はない。加えて、切替スイッチ等の選択手段を制御装置に設けることにより、何台の遊技機における監視動作を制御するか適宜設定可能としてもよい。
【００５０】
またさらに、上記実施例では、制御装置のＥＥＰＲＯＭに開閉情報や作業情報を記憶しているが、中継タグのＥＥＰＲＯＭに記憶させてもよいし、制御装置内のＲＡＭにそのまま記憶させてもよい。また、ＰＤＡにて該開閉情報や作業情報を参照可能としているが、ＰＤＡを利用して制御装置のＥＥＰＲＯＭに予め記憶されているタグＩＤの修正や変更、店員ＩＤの登録等を行うようにしてもよいし、ＰＤＡを店員カードの代わりに権限を認証する認証手段として利用しても何ら問題はない。つまり、ＰＤＡからＩＤ等を入力することで権限の有無を確認するようにしてもよい。尚、制御装置に予め記憶されているタグＩＤの修正を行う際、暗証番号等を利用するように構成することも当然可能である。
さらにまた、タグＩＤや店員ＩＤ、監視動作に係るプログラムも監視情報同様、その記憶場所については何ら限定されない。
【００５１】
加えて、カードアンテナを通信ユニットに収納するのではなく、遊技機の前面にスリット状の差込口を有するカードホルダや、アームにより店員カードを支持可能なアーム型のカードホルダ等に収納してもよい。
また、制御装置は、バッテリを内蔵するのではなく、島設備や遊技機本体から電源供給を受けるものであってもよい。
【００５２】
さらに、制御装置、スポット、及びステーションの接続を有線で行っても何ら問題はないし、報知手段をステーションに設けることで、スポットを介さずに制御装置とステーションとを直接接続することも当然可能である。加えて、報知手段を遊技機の電飾ランプやスピーカ等としてもよいし、ステーションとしても何ら問題はない。
またさらに、各タグと各アンテナとの間の通信可能距離を５ｍｍに設定しているが、それ以上またはそれ以下の距離に設定したとしても何ら問題はない。また、ＲＦＩＤ通信において利用される周波数も実施例にものに限定されることはない。
【００５３】
さらにまた、監視タグから５０ｍｓ以内に反射波を受信しなければ不正開放と判断するようにしているが、５０ｍｓ以上であっても以下であってもよく、適宜変更可能である。同様に、認証状態生起後に通常状態へと復帰するまでの時間（実施例では、５ｓ）等も当然のことながら適宜変更可能である。
加えて、ステーションで異常情報や監視情報を画面表示する際、どのような表示態様としてもよく、店員名や開放場所等を表示するものに限定されることはない。また、上記実施例では、店員ＩＤを受信した際、監視カメラをパチンコ機へと向けてから受信した店員ＩＤの正否を判断しているが、その態様に限定されることはない。たとえば、店員ＩＤを受信するとともに正否の判断をしてもよく、正否にかかわらず監視カメラを向けて、不正な店員ＩＤの場合は更に異常報知を行うように構成してもよい。
【００５４】
また、上記実施例では、監視情報を受信した際に監視カメラを録画モードに切り替えるようにしているが、常に録画を行う構成としてもよい。その場合には、記憶手段に撮像データが上書きされることになるため、たとえば異常情報に係る撮像データや、認証情報の受信から所定時間が経過するまでの撮像データ、認証情報の受信から閉作業情報の受信までの撮像データ等は上書き消去を禁止するような制御を行えばよい。そうすることで、たとえば前面枠の開閉状況等を撮像した撮像データが確認される前に上書き消去されてしまうといったおそれもなく、極めて信頼性の高い監視を行うことができる。
さらに、上記実施例では、閉作業情報の受信をもって監視カメラを録画モードから表示モードへと切り替えているが、閉作業情報の受信から所定時間後に表示モードへと切り替える構成としても何ら問題はない。
【図面の簡単な説明】
【００５５】
【図１】パチンコ機を設置した島設備の説明図である。
【図２】通信ユニット及び店員カードの外観を示した説明図である。
【図３】本体枠及び前面枠を片開きにした状態を示したパチンコ機の説明斜視図である。
【図４】パチンコ機の後面を示した説明図である。
【図５】制御装置の外観を示した説明図である。
【図６】制御装置の制御機構を示したブロック図である。
【図７】制御装置の台番号と監視カメラの動作態様とを対応付けた表の一例である。
【図８】監視動作及び認証動作を示したフローチャート図である。
【図９】監視動作及び認証動作を示したフローチャート図である。
【符号の説明】
【００５６】
１・・パチンコ機、２・・機枠、３・・本体枠、４・・前面枠、２０・・制御装置、３８・・前面枠タグ、３９・・前面枠アンテナ、４１・・通信ユニット、４２・・店員カード、４７・・カードアンテナ、５１・・ＣＰＵ、５２・・ＲＡＭ、５４・・ＥＥＰＲＯＭ、７２・・報知ランプ、７３・・スポット、７４・・監視カメラ、８０・・機枠タグ、８１・・機枠アンテナ。
【図１】
2006116218.tif 000003
【図２】
2006116218.tif 000004
【図３】
2006116218.tif 000005
【図４】
2006116218.tif 000006
【図５】
2006116218.tif 000007
【図６】
2006116218.tif 000008
【図７】
2006116218.tif 000009
【図８】
2006116218.tif 000010
【図９】
2006116218.tif 000011